(57)【特許請求の範囲】
【請求項１】
手すり材取付けブラケットである柱用ブラケットと、間柱用ブラケット、及び胴縁用ブラケットの中から選択した１種若しくは２種以上を使用して手すり材を壁材の表面に沿って平行に取り付ける方法において、
手すり材取付けブラケットはそれぞれ、全体形状が有底筒状の手すり材組付け部と、前記手すり材組付け部の開口とは反対側の端部から延びる腕部、及び前記腕部により前記手すり材組付け部と繋がれた座部を有し、座部に木ねじの誘導孔が形成されており、柱用ブラケットは座部の背面が腕部の背面と同一平面状で且つ座部の底面に対して直角な垂直面として形成され、間柱用ブラケット及び胴縁用ブラケットの座部の底面は腕部に対して直角に形成されていること、
壁材表面を各手すり材取付けブラケットの取付け基準面とし、座部の底面を壁材表面に接触させ誘導孔を通じて木ねじをねじ込み固定すること、
各手すり材取付けブラケットの腕部は、座部の底面を壁材表面へ固定すると、手すり材組付け部に組み付けた手すり材の中心軸線の位置が、壁材表面から一定寸法だけ突き出される長さとすること、
柱用ブラケットは、座部及び腕部の背面を柱の露出側面へ接触させ、同柱の露出側面へ座部を固定すること、
間柱用ブラケットは、座部の底面を間柱の厚さ面に対峙する配置として壁材表面へ接触させ間柱へ固定すること、
胴縁用ブラケットは、座部の底面を胴縁の幅面に対峙する配置として壁材表面へ接触させ胴縁へ固定すること、
をそれぞれ特徴とする、手すり材取り付け方法。
【請求項２】
手すり材取付けブラケットである柱用ブラケットと、間柱用ブラケット、及び胴縁用ブラケット、並びに手すり材の中間部を支持する中間支持用ブラケットの中から選択した１種若しくは２種以上を使用して手すり材を壁材の表面に沿って平行に取り付ける方法において、
手すり材取付けブラケットのうち柱用ブラケットと、間柱用ブラケット、及び胴縁用ブラケットはそれぞれ、全体形状が有底筒状の手すり材組付け部と、前記手すり材組付け部の開口とは反対側の端部から延びる腕部、及び前記腕部により前記手すり材組付け部と繋がれた座部を有し、中間支持用ブラケットの手すり材組付け部は手すり材を通す孔が貫通した円筒形状で、前記手すり材組付け部から延びる腕部の終端に板状の座部が形成されており、それぞれの座部に木ねじの誘導孔が形成されており、柱用ブラケットは座部の背面が腕部の背面と同一平面状で且つ座部の底面に対して直角な垂直面として形成され、間柱用ブラケット及び胴縁用ブラケットの座部の底面は腕部に対して直角に形成されていること、
壁材表面を各手すり材取付けブラケットの取付け基準面とし、座部の底面を壁材表面に接触させ誘導孔を通じて木ねじをねじ込み固定すること、
各手すり材取付けブラケットの腕部は、座部の底面を壁材表面へ固定すると、手すり材組付け部に組み付けた手すり材の中心軸線の位置が、壁材表面から一定寸法だけ突き出される長さとすること、
柱用ブラケットは、座部及び腕部の背面を柱の露出側面へ接触させ、同柱の露出側面へ座部を固定すること、
間柱用ブラケットは、座部の底面を間柱の厚さ面に対峙する配置として壁材表面へ接触させ間柱へ固定すること、
胴縁用ブラケットは、座部の底面を胴縁の幅面に対峙する配置として壁材表面へ接触させ胴縁へ固定すること、
中間支持用ブラケットは、座部の底面を間柱の厚さ面又は胴縁の幅面に対峙する配置として壁材表面へ接触させ間柱又は胴縁へ固定すること、
をそれぞれ特徴とする、手すり材取り付け方法。
【請求項３】
柱用ブラケットと間柱用ブラケット及び胴縁用ブラケットの手すり材組付け部における有底筒状の開口とは反対側の腕部が延びる端部は、開口端からの寸法が、座部側が大きく、反座部側が小さい寸法となる方向へ傾斜され、この傾斜部に球形の凸部が形成され丸みを帯びていることを特徴とする、請求項１又は２に記載した手すり材取り付け方法。
【発明の詳細な説明】
【０００１】
【発明の属する技術分野】
この発明は、主として木造住宅の建築後（つまり既存住宅）に、高齢者や身体障害者用として室内や廊下空間等における壁部分に必要な、例えば直径が３２ｍｍ〜３５ｍｍ程度の手すり材を、取り付け高さ位置を、通例畳面や床面から７５０ｍｍ〜８５０ｍｍ程度として、壁材表面に沿って平行に取り付ける手すり材取り付け方法の技術分野に属する。
【０００２】
【従来の技術】
一般の木造住宅の壁部分の構造は、例えば図３３、図３４に例示したように、大きさが９０ｍｍ×９０ｍｍ又は１０５ｍｍ×１０５ｍｍ程度の柱１、１同士の間に、上下方向に３００ｍｍ〜４５０ｍｍの間隔をあけて複数の水平な胴縁２…（４５ｍｍ×１５ｍｍ）がその幅面を正面に向けて設置され、胴縁２の背面側に水平方向に３００ｍｍ〜４５０ｍｍの間隔をあけて複数の垂直な間柱３…（１０５ｍｍ×３０ｍｍ）が、その厚さ面を正面方向に向けて設置され、これらの表面部に合板や石膏ボード等よりなる壁材４を取り付けた構成とされている。
【０００３】
このような壁部分の構造に対して、直径が３２ｍｍ〜３５ｍｍ程度の手すり材を、手すり材取り付けブラケットを用い、壁材表面に沿って平行に畳面や床面等から７５０ｍｍ〜８５０ｍｍ程度の高さ位置に取り付ける手段として、従来技術は、図３２に例示したような手すり材取り付けブラケット６を使用し、図３３に例示したように、予め柱１、１同士の間に、又は間柱３…同士の間に、あるいは柱１と間柱３との間に、一例として１００ｍｍ×１２ｍｍ程度のベースプレート５を図３５、図３６のように取り付けて行っている。ベースプレート５は長い皿木ねじ７等により柱１などへ固定し、その後に前記ベースプレート５に対して手すり材取り付けブラケット６の座部６ａを同座部６ａに予め形成した孔６ｅを通じてねじ込んだ皿木ねじ８等により固定し、手すり材１０を壁材４の表面に沿って平行に取り付けている。従来の手すり材取付けブラケット６も、図３２に示すように手すり材組付け部６ｂと腕部６ｃ及び座部６ａとを有している。手すり材１０の軸線方向に長い皿状の手すり材組付け部６ｂの上に載置した手すり材１０は、同手すり材組付け部６ｂに予め設けた孔６ｄを通じてねじ込んだ皿木ねじ８にて固定する。
【０００４】
従来技術はまた、図３４に示したように、予め間柱３、３同士の間に、一例として１００ｍｍ×１２ｍｍ程度の下地材９を木ねじ等により固定した後に、壁材４を中間に挟む配置で、前記下地材９に対して手すり材取付けブラケット６の座部６ａを皿木ねじ８等により固定し、この手すり材取付けブラケット６に手すり材１０を支持させて壁材４の表面に沿って平行に取り付けることも行っている。
【０００５】
前記のように手すり材組付け部６ｂの上に載置・固定される手すり材１０の両端末には、端末キャップ１１を被せている。
【０００６】
【発明が解決しようとする課題】
図３３に例示したように、柱１、１間に、又は間柱３…間に、あるいは柱１と間柱３との間にベースプレート５を固定する方法の場合には、図３５及び図３６に示したように、柱１の露出側面の奥行寸法ａ（ａ＝１５ｍｍ〜２５ｍｍ程度）にベースプレート５の厚さ寸法ｂ（ｂは一例として１２ｍｍ程度）を加えた寸法ｃ（ｃは一例として２７ｍｍ〜３７ｍｍ程度になる）の分だけ、手すり材１０が壁板４の前面に突き出るので、室内や廊下等における人の活動有効空間を狭くする欠点がある。
【０００７】
また、図３４のように間柱３、３の間に下地材９を固定する場合は、一旦壁材４を剥がし、その後に壁材４を修復するという余分な二度手間のかかる工事を必要とする。
【０００８】
そして、従来技術の場合は、ベースプレート５又は下地材９という新規の構造材を必要とする上に、これら新規の構造材を既存の壁部分の構造体に取り付け固定するという新規の工事を必要とするので手間がかかる。
【０００９】
さらに、高齢者や身体障害者ばかりでなく、健常者においても、手すり材１０の両端末の端末キャップ１１（つまり、手すりの端末部分）に、衣服の前部分や袖口等が接触した際には、その前部分や袖口等が端末キャップ１１に引っ掛かりやすく、時には手すりの利用者が転倒して怪我をしたり骨折さえする危険性もある。
【００１０】
したがって、本発明の目的は、木造住宅の壁部分を構成する既存の柱、間柱、胴縁等の各構造体をそのまま利用して必要な各手すり材取付けブラケットを取り付けることができ、別途に新規にベースプレートとか下地材を用意することは無用であるばかりか、これらを取り付け固定するための余分な二度手間工事や新規の工事の必要もなく、取付け工事が容易で、室内や廊下等における人の活動有効空間を狭めることのない、手すり材取付け方法を提供することである。
【００１１】
本発明の次の目的は、手すりの端末部分に、利用者の衣服の前部分や袖口などが接触しても引っ掛かったり、それが原因で手すり利用者が転倒して怪我をしたり骨折するなどの心配が皆無であり、衣服の破れなどのおそれもない、手すり材取付け方法を提供することである。
【００１２】
【課題を解決するための手段】
上記した従来技術の課題を解決するための手段として、請求項１に記載した発明に係る手すり材取り付け方法は、
手すり材取付けブラケットである柱用ブラケットと、間柱用ブラケット、及び胴縁用ブラケットの中から選択した１種若しくは２種以上を使用して手すり材を壁材の表面に沿って平行に取り付ける方法において、
手すり材取付けブラケットはそれぞれ、全体形状が有底筒状の手すり材組付け部と、前記手すり材組付け部の開口とは反対側の端部から延びる腕部、及び前記腕部により前記手すり材組付け部と繋がれた座部を有し、座部に木ねじの誘導孔が形成されており、柱用ブラケットは座部の背面が腕部の背面と同一平面状で且つ座部の底面に対して直角な垂直面として形成され、間柱用ブラケット及び胴縁用ブラケットの座部の底面は腕部に対して直角に形成されていること、
壁材表面を各手すり材取付けブラケットの取付け基準面とし、座部の底面を壁材表面に接触させ誘導孔を通じて木ねじをねじ込み固定すること、
各手すり材取付けブラケットの腕部は、座部の底面を壁材表面へ固定すると、手すり材組付け部に組み付けた手すり材の中心軸線の位置が、壁材表面から一定寸法だけ突き出される長さとすること、
柱用ブラケットは、座部及び腕部の背面を柱の露出側面へ接触させ、同柱の露出側面へ座部を固定すること、
間柱用ブラケットは、座部の底面を間柱の厚さ面に対峙する配置として壁材表面へ接触させ間柱へ固定すること、
胴縁用ブラケットは、座部の底面を胴縁の幅面に対峙する配置として壁材表面へ接触させ胴縁へ固定すること、をそれぞれ特徴とする。
【００１３】
請求項２に記載した発明に係る手すり材取り付け方法は、
手すり材取付けブラケットである柱用ブラケットと、間柱用ブラケット、及び胴縁用ブラケット、並びに手すり材の中間部を支持する中間支持用ブラケットの中から選択した１種若しくは２種以上を使用して手すり材を壁材の表面に沿って平行に取り付ける方法において、
手すり材取付けブラケットのうち柱用ブラケットと、間柱用ブラケット、及び胴縁用ブラケットはそれぞれ、全体形状が有底筒状の手すり材組付け部と、前記手すり材組付け部の開口とは反対側の端部から延びる腕部、及び前記腕部により前記手すり材組付け部と繋がれた座部を有し、中間支持用ブラケットの手すり材組付け部は手すり材を通す孔が貫通した円筒形状で、前記手すり材組付け部から延びる腕部の終端に板状の座部が形成されており、それぞれの座部に木ねじの誘導孔が形成されており、柱用ブラケットは座部の背面が腕部の背面と同一平面状で且つ座部の底面に対して直角な垂直面として形成され、間柱用ブラケット及び胴縁用ブラケットの座部の底面は腕部に対して直角に形成されていること、
壁材表面を各手すり材取付けブラケットの取付け基準面とし、座部の底面を壁材表面に接触させ誘導孔を通じて木ねじをねじ込み固定すること、
各手すり材取付けブラケットの腕部は、座部の底面を壁材表面へ固定すると、手すり材組付け部に組み付けた手すり材の中心軸線の位置が、壁材表面から一定寸法だけ突き出される長さとすること、
柱用ブラケットは、座部及び腕部の背面を柱の露出側面へ接触させ、同柱の露出側面へ座部を固定すること、
間柱用ブラケットは、座部の底面を間柱の厚さ面に対峙する配置として壁材表面へ接触させ間柱へ固定すること、
胴縁用ブラケットは、座部の底面を胴縁の幅面に対峙する配置として壁材表面へ接触させ胴縁へ固定すること、
中間支持用ブラケットは、座部の底面を間柱の厚さ面又は胴縁の幅面に対峙する配置として壁材表面へ接触させ間柱又は胴縁へ固定すること、をそれぞれ特徴とする。
【００１４】
請求項３記載の発明は、請求項１又は２に記載した手すり材取り付け方法において、
柱用ブラケットと間柱用ブラケット及び胴縁用ブラケットの手すり材組付け部における有底筒状の開口とは反対側の腕部が延びる端部は、開口端からの寸法が、座部側が大きく、反座部側が小さい寸法となる方向へ傾斜され、この傾斜部に球形の凸部が形成され丸みを帯びていることを特徴とする。
【００１５】
【発明の実施形態】
以下、図示した本発明の実施形態を説明する。
【００１６】
まず図１と図２は、手すり材取り付けブラケットとして柱用ブラケット２０を２個使用した手すり材取り付け方法の実施形態を示している。そして、同柱用ブラケット２０の構造詳細を図３〜図７に示した。
【００１７】
手すり材１０としては、直径が例えば３２ｍｍ〜３５ｍｍ程度、材質としては木棒とかステンレス鋼管あるいは樹脂被覆鋼管等が使用される。
【００１８】
当該柱用ブラケット２０をはじめ、以下に説明する各手すり材取り付けブラケットは、いずれもＡＢＳ樹脂とかＡＡＳ樹脂等の合成樹脂による射出成形品である場合の他、アルミニウムによるダイカスト製品等も使用可能である。
【００１９】
各手すり材取り付けブラケットはまた、手すり材組付け部と腕部と座部とを有する点で共通することを前置きする。
【００２０】
先ず柱用ブラケット２０の構成について具体的に説明する。手すり材組付け部２１は全体形状として有底筒状であり、手すり材１０を差し込む円筒形ソケット２２の口径が手すり材１０の外径とほぼ等しい。円筒形ソケット２２の奥端に手すり材１０の行き止まり段部２３が形成されている。手すり材組付け部２１のうち円筒形ソケット２２の下半分側に、図６のように見た円筒形ソケット２２の中心を通る垂直線の両側位置に、中心角にして下向き約４５゜の方向に対称的な配置で、円筒形ソケット２２へ差し込んだ手すり材１０を止める六角穴付き止めネジ７０用のネジ孔２４が２個設けられている。但し、ネジ孔２４の配置と個数は図示例の限りではない。
【００２１】
前記手すり材組付け部２１において、前記円筒形ソケット２２の開口とは反対側の端部（図３の左端部）から垂直下方に向けて、略方形板状の腕部２５が、座部２７と前記手すり材組付け部２１とをつなぐ形に設けられている。この柱用ブラケット２０の場合は、図３に示すように、手すり材組付け部２１の左端部が、垂直な腕部２５から右斜め上方へ略くの字形状に傾斜して形成され、この傾斜部２６に球形の凸部２６ａが形成されて丸みを帯びている。したがって、手すりの利用者の衣服類が当該柱用ブラケット２０の手すり材組付け部２１の左端部（底側。つまり手すりの端末部分）へ引っ掛かる等の不具合は決して発生しない。要するに、この柱用ブラケット２０は、図３に示した円筒形ソケット２２の開口端から前記手すり材組付け部２１の左端部（底側）までの寸法について、座部２７側を大きくｎとし、反座部２７側を小さくｍとして、ｍ＜ｎの関係に傾斜させた形態である。
【００２２】
前記腕部２５の下部の両側に、座部２７が、図４のように正面方向に見ると、左右方向に長く（図１の手すり材１０の取り付け状態では、上下方向に長く）、左右対称形状に翼を拡げた倒立Ｔ字形状に形成され、しかも座部２７の背面は腕部２５の背面と同一平面状に垂直面として形成されている。座部２７の前面は、ねじ止め方向に対して直角な傾斜面とし、それは上縁を腕部２５の肉厚のほぼ中央位置から発して下方へ先太状に形成され、下端は腕部２５の最大厚さよりも少し小さい厚さに納められている（傾斜角度として、１７．５°程度）。座部２７には、その前面から背面に向かって前面と垂直な方向に、即ち図３の左斜め下向き方向に皿木ネジの８の誘導孔２８が円錐形状に形成されている。座部２７の底面２７ａは、前記腕部２５及び座部２７の背面に対して直角な一平面に形成されている。この座部２７は、全体としての大きさが、６６ｍｍ×８．５ｍｍ×１６ｍｍ程度であり、図４で左右に計２個の誘導孔２８のピッチは５２ｍｍ程度である。
【００２３】
したがって、柱用ブラケット２０は、この柱用ブラケット２０を使用した手すり材１０の取り付け状態を図２に示したように、壁材４の表面を取付け基準面とするべく柱用ブラケット２０の座部２７の底面２７ａを壁材４の表面に接触させる。そして、座部２７及び腕部２５の背面を、柱１において壁材４より前方への露出側面（図２中のａ部）へぴったり接触させ、前記誘導孔２８へ通した皿木ねじ８を柱１へねじ込んで取り付け固定している。
【００２４】
この柱用ブラケット２０は、手すり材１０の両端部それぞれに、手すり材組付け部２１の円筒形ソケット２２を組付けておいて、六角穴付き止めねじ７０をねじ込み、軽く締め付けて、手すり材１０の両端部それぞれに柱用ブラケット２０を仮止め状態とした後に、柱用ブラケット２０を柱１へ取り付け固定する。そして、最後に六角穴付き止めねじ７０を強く締め付けて、手すり材１０の回転を阻止する（図６）という手順を実施し、手すり材１０の取り付け工事を完了する。その結果として、柱用ブラケット２０の腕部２５の長さの故に、手すり材１０の中心軸線の位置は、壁材４の表面から一定寸法Ｈ（Ｈとしては例えば５５ｍｍ程度）だけ突き出した位置に平行に支持される（図２）。
【００２５】
この、手すり材１０の両端部それぞれに手すり材組付け部の円筒形ソケットを組付ける、六角穴付き止めねじ７０により仮止め状態とする、ブラケットを既存の壁部分の構造体へ取り付け固定する、最後に六角穴付き止めねじ７０を強く締め付けて手すり材１０の回転を阻止する、という手順は、後から説明する間柱用ブラケット３０と胴縁用ブラケット４０と中間支持用ブラケット５０を使用する場合にも、共通する手順である。
【００２６】
また、以下に説明する間柱用ブラケット３０と胴縁用ブラケット４０とは、主としては、手すり材取り付けブラケットを水平方向に使用する場合において、室内・廊下等に家具が置かれた状態で、柱用ブラケット２０が使用できない場合には使用されるが、後から説明するようにその使用の態様はこの限りではない。
【００２７】
次に、図８と図９は、間柱用ブラケット３０を２個使用した手すり材取り付け方法の実施形態を示している。そして、間柱用ブラケット３０の構造詳細を、図１０〜図１３に示した。
【００２８】
この間柱用ブラケット３０もまた、既述したように手すり材組付け部３１と腕部３５及び座部３７とを有する。間柱用ブラケット３０における手すり材組付け部３１も全体形状として有底筒状であり、手すり材１０を差し込む円筒形ソケット３２の口径が手すり材１０の外径とほぼ等しい。円筒形ソケット３２の奥端に、手すり材１０の行き止まり段部３３が形成されている。手すり材組付け部３１のうち円筒形ソケット３２の下半分側に、図１１のように見た円筒形ソケット３２の中心を通る垂直線の両側位置に、中心角にして下向き約４５゜の方向に対称的な配置で、円筒形ソケット３２へ差し込んだ手すり材１０を止める六角穴付き止めネジ７０用のネジ孔３４が２個設けられている。但し、ネジ孔３４の配置と個数は図示例の限りではない。
【００２９】
前記手すり材組付け部３１において、前記円筒形ソケット３２の開口とは反対側の端部（図１０の左端部）から垂直下方に向けて、略方形板状の腕部３５が、下端の座部３７と前記手すり材組付け部３１とをつなぐ形に設けられている。この間柱用ブラケット３０の場合は、図１０に示すように、手すり材組付け部３１の左端部が、垂直な腕部３５から右斜め上方へ略くの字形状に傾斜して形成され、この傾斜部３６に球形の凸部３６ａが形成されて丸みを帯びている。したがって、手すりの利用者の衣服類が当該間柱用ブラケット３０の手すり材組付け部３１の左端部へ引っ掛かる等の不具合は決して発生しない。要するに、柱用ブラケット２０の場合と同様に、この間柱用ブラケット３０は、図１０に示した円筒形ソケット３２の開口端から前記手すり材組付け部３１の左端部までの寸法ｍとｎを、ｍ＜ｎの関係に傾斜させた形態である。
【００３０】
前記腕部３５の下端部に、前記手すり材組付け部３１と同方向へ突き出る水平な板状の座部３７が、図１１のように正面方向に見ると、左右方向に長く（図８の手すり材１０の取り付け状態では、上下方向に長く）、腕部３５の両側へ等しく左右対称形状に突き出た倒立Ｔ字形状に形成されている。しかも座部３７の背面は腕部３５の背面と同一平面状に垂直面として形成されている。座部３７の底面３７ａは、前記腕部３５及び座部３７の背面に対して直角な一平面（水平面）に形成されている。そして、座部３７において、腕部３５の両側へ等しく突き出た部分に、垂直下向きに皿木ねじ８を誘導する円錐形状の誘導孔３８が形成されている。この座部３７は、全体としての大きさが、６６ｍｍ×２０ｍｍ×４．５ｍｍ程度であり、図１１で左右に計２個の誘導孔３８のピッチは５２ｍｍ程度である。
【００３１】
したがって、この間柱用ブラケット３０を使用した手すり材１０の取り付け状態を図９に示したように、壁材４の表面を取付け基準面とするべく間柱用ブラケット３０の座部３７の底面３７ａを壁材４の表面に接触（定着）させる。そして、前記壁材４を中間に挟んだ状態で座部３７の底面３７ａを間柱３の厚さ面３ａと対峙させ、前記誘導孔３８へ通した皿木ねじ８を間柱３へねじ込んで取り付け固定する。その場合に、図９に示しているように、壁材４を貫通して間柱３の厚さ面３ａへ到達する長さのカラー３９を使用すると、胴縁２の厚さに相当する隙間が原因で壁板４がベコベコする不具合の解消、及び木ねじ８の剪断弱さを補強する効果が得られる。
【００３２】
この間柱用ブラケット３０を使用して、柱用ブラケット２０の場合に準じた手順で、手すり材１０を間柱３へ取り付ける。その結果として、間柱用ブラケット３０の腕部３５の長さの故に、手すり材１０の中心軸線の位置は、壁材４の表面から一定寸法Ｈ（Ｈとしては例えば５５ｍｍ程度）だけ突き出した位置に平行に支持される（図９）。
【００３３】
なお、図１４は同じく間柱用ブラケット３０を使用した手すり材取り付け方法の実施形態であって、手すり材１０が柱１を跨いで長く取り付けられた実施例を示す。その具体的な内容は図８の実施例と変わりがない。
【００３４】
次に、図１５と図１６は、胴縁用ブラケット４０を２個使用した手すり材取り付け方法の実施形態を示している。そして、胴縁用ブラケット４０の構造詳細を、図１７〜図２０に示した。
【００３５】
この胴縁用ブラケット４０も、既述したように、手すり材組付け部４１と腕部４５及び座部４７とを有する。胴縁用ブラケット４０における手すり材組付け部４１も全体形状として有底筒状であり、手すり材１０を差し込む円筒形ソケット４２の口径が手すり材１０の外径とほぼ等しい。円筒形ソケット４２の奥端に、手すり材１０の行き止まり段部４３が形成されている。手すり材組付け部４１のうち円筒形ソケット４２の下半分側に、図１８のように見た円筒形ソケット４２の中心を通る垂直線の両側位置に、中心角にして下向き約４５゜の方向に対称的な配置で、円筒形ソケット４２へ差し込んだ手すり材１０を止める六角穴付き止めネジ７０用のネジ孔４４が２個設けられている。但し、ネジ孔４４の配置と個数は図示例の限りではない。
【００３６】
前記手すり材組付け部４１において、前記円筒形ソケット４２の開口とは反対側の端部（図１７の左端部）から垂直下方に向けて、略方形板状の腕部４５が、下端の座部４７と前記手すり材組付け部４１とをつなぐ形に設けられている。この胴縁用ブラケット４０の場合は、図１７に示すように、手すり材組付け部４１の左端部が、垂直な腕部４５から右斜め上方へ略くの字形状に傾斜して形成され、この傾斜部４６に球形の凸部４６ａが形成されて丸みを帯びている。したがって、手すりの利用者の衣服類が当該胴縁用ブラケット４０の手すり材組付け部４１の左端部へ引っ掛かる等の不具合は決して発生しない。つまり、柱用ブラケット２０の場合と同様に、この胴縁用ブラケット４０も、図１７に示した円筒形ソケット４２の開口端から前記手すり材組付け部４１の左端部までの寸法ｍとｎを、ｍ＜ｎの関係に傾斜させた形態である。
【００３７】
前記腕部４５の下端部に、前記手すり材組付け部４１とは反対側方向へ突き出る水平な板状の座部４７が、図１８のように正面方向に見ると、腕部４５と同じ幅寸で、図１７の方向に見るとＺ形状に形成されている。座部４７の底面４７ａは、前記腕部４５に対して直角な一平面（水平面）に形成されている。そして、座部４７に、垂直下向きに皿木ねじ８を誘導する円錐形状の誘導孔４８が２個形成されている。この座部４７は、図１５の手すり材１０取り付け状態では左右方向に長めで、全体としての大きさが２６ｍｍ×４０ｍｍ×４．５ｍｍ程度であり、図１５、図１９で左右に計２個の誘導孔４８のピッチは１６ｍｍ程度である。
【００３８】
したがって、この胴縁用ブラケット４０を使用した手すり材１０の取り付け状態を図１６に示したように、壁材４の表面を取付け基準面とするべく胴縁用ブラケット４０の座部４７の底面４７ａを壁材４の表面に接触（定着）させる。そして、前記壁材４を中間に挟んだ状態で座部４７の底面４７ａを胴縁２の幅面と対峙させ、前記誘導孔４８へ通した皿木ねじ８を胴縁２へねじ込んで取り付け固定する。
【００３９】
この胴縁用ブラケット４０を使用して、柱用ブラケット２０の場合に準じた手順で、手すり材１０を胴縁２へ取り付ける。その結果として、胴縁用ブラケット４０の腕部４５の長さの故に、手すり材１０の中心軸線の位置は、壁材４の表面から一定寸法Ｈ（Ｈとしては例えば５５ｍｍ程度）だけ突き出した位置に支持される（図１６）。
【００４０】
次に、図２１は柱用ブラケット２０と間柱用ブラケット３０を併用した手すり材取り付け方法の実施形態を示す。また、図２２は柱用ブラケット２０と胴縁用ブラケット４０を併用した手すり材取り付け方法の実施形態を示す。更に図２３は柱用ブラケット２０と間柱用ブラケット３０及び胴縁用ブラケット４０をそれぞれ併用して、手すりを水平方向と垂直方向とに取り付けた実施形態を示している。
【００４１】
この場合、手すり材１０を、例えば上がり框（あがりかまち）に連なる柱１に近く位置させて、壁部分に垂直方向に取り付ける場合には、２個の胴縁用ブラケット４０、４０を手すり材１０の上下両端部に組付け・仮止めしておいて後、上下方向の適宜の２本の胴縁２、２に対して取り付け固定する。また、例えばこの垂直方向に取り付けられた手すり材１０に隣接して同手すり材１０と対に、畳面・床面等側方の壁部分に水平方向に取り付ける場合には、水平方向の同手すり材１０において、垂直方向の手すり材１０の側の端部には間柱用ブラケット３０を組付け・仮止めし、襖（ふすま）１２の側の端部には柱用ブラケット２０を組付け・仮止めしておいて後、間柱用ブラケット３０は間柱３に取り付け固定し、柱用ブラケット２０は柱１に対して取り付け固定する。
【００４２】
なお、柱用ブラケット２０と間柱用ブラケット３０と胴縁用ブラケット４０とは、それぞれ図示を省略しているが、手すり材１０の取り付け態様として、例えば次のような取り付け態様がある。
【００４３】
柱用ブラケット２０を使用した手すり材１０の取り付け態様として、手すり材１０を垂直方向に取り付ける場合に、手すり材１０の下端部に柱用ブラケット２０を組付け・仮止めし、手すり材１０の上端部に間柱用ブラケット３０又は胴縁用ブラケット４０を組付け・仮止めしておいて後、下部の柱用ブラケット２０は、壁材４との連接部分としての下縁（床回り縁）や幅木、又は床材に対して取り付け固定し、上側のブラケットが間柱用ブラケット３０である場合は、胴縁２に対して取り付け固定し、上側のブラケットが胴縁用ブラケット４０である場合は、胴縁２又は間柱３に対して取り付け固定することができる。
【００４４】
間柱用ブラケット３０を使用した手すり材１０の取り付け態様として、座部３７の大きさ、及び計２個の誘導孔３８のピッチの関係からして、手すり材１０を垂直方向に取り付ける場合に、手すり材１０の上下両端部に間柱用ブラケット３０、３０を組付け・仮止めしておいて後、上下の間柱用ブラケット３０、３０それぞれを、上下方向の適宜の２本の胴縁２、２に対して取り付け固定することができる。
【００４５】
胴縁用ブラケット４０を使用した手すり材１０の取り付け態様として、座部４７の大きさ、及び計２個の誘導孔４８のピッチの関係からして、手すり材１０を階段部・スロープ部の壁部分に、階段・スロープの傾斜角度と平行に傾斜方向に取り付ける場合に、２個の胴縁用ブラケット４０、４０を手すり材１０の両端部に組付け・仮止めしておいて後、手すり材１０に所定の傾斜角度を保持させて、２個の胴縁用ブラケット４０、４０それぞれを、上下方向の適宜の２本の胴縁２、２に対して取り付け固定することができる。或いは、手すり材１０を垂直方向に取り付ける場合に、適宜の間柱３に対して取り付け固定することができる。
【００４６】
次に、図２４と図２５は、上記した柱用ブラケット２０と中間支持用ブラケット５０とを併用した手すり材取り付け方法の実施形態を示している。そして、中間支持用ブラケット５０の構造詳細を、図２６〜図２９に示した。
【００４７】
この中間支持用ブラケット５０も、手すり材組付け部５１と腕部５５及び座部５７とを有する。手すり材組付け部５１は、全体形状として手すり材１０を通す孔（円筒形ソケット５２）が貫通した筒状である。手すり材１０を差し込む円筒形ソケット５２の口径は手すり材１０の外径とほぼ等しい。そして、円筒形ソケット５２へ差し込んだ手すり材１０を止める六角穴付き止めネジ７０用のネジ孔５４が、図２８の方向に見て、円筒形ソケット５２の中心をとおる垂直線の左右両側に斜め下向き方向に２個設けられている。但し、ネジ孔５４の配置と個数は図示例の限りではない。
【００４８】
腕部５５は、図２７の方向に見て、手すり材組付け部５１の下底部から垂直下向きに延び、水平方向後方（図２７の左方）へ直角に曲げたＬ字形に形成されている。この腕部５５の終端、即ち、図２７の左端部に、垂直な板状の座部５７が、腕部５５と同幅で、腕部５５の終端の上下方向に対称的に形成されており、上下の座部５７に、水平後向きに皿木ねじ８を誘導する円錐形状の誘導孔５８が形成されている。この座部５７は、図２４の手すり材１０取り付け状態では上下方向に長めで、全体としての大きさが３０ｍｍ×５０ｍｍ×４．５ｍｍ程度であり、図２４、図２８で上下に計２個の誘導孔４８のピッチは３５ｍｍ程度である。なお、腕部５５の垂直部には、上側の皿木ねじ８をドライバーを使用して間柱３へねじ込む際に必要な孔として、ドライバーの本体（軸部）に対するドライバー通し孔５３が形成されている。
【００４９】
上記した中間支持用ブラケット５０の使用状態を図２５に示した。予め円筒形ソケット５２へ手すり材１０を通しておいて、壁材４の表面を取付け基準面とするべく中間支持用ブラケット５０の座部５７の底面５７ａを壁材４の表面に接触（定着）させる。そして、前記壁材４を中間に挟んだ状態で座部５７の底面５７ａを間柱３の厚さ面３ａと対峙させ、前記誘導孔５８へ通した皿木ねじ８を間柱３へねじ込んで取り付け固定する。この場合にも、図２５に示しているように、壁板４を貫通して間柱３の厚さ面３ａへ到達する長さのカラー３９を使用すると、胴縁２の厚さに相当する隙間が原因で壁板４がベコベコする不具合の解消、及び木ねじ８の剪断弱さを補強する効果が得られる。
【００５０】
この中間支持用ブラケット５０の手すり材組付け部５１の円筒形ソケット５２へ通して支持された手すり材１０は、腕部５５の長さの故に、手すり材１０の中心軸線の位置は、壁材４の表面から一定寸法Ｈ（Ｈとしては例えば５５ｍｍ程度）だけ突き出した位置に支持される（図２５）。図２４の場合、手すり材１０の両端部は、上記した構成の柱用ブラケット２０により支持されている。
【００５１】
図３０は、柱用ブラケット２０と間柱用ブラケット３０及び上記の中間支持用ブラケット５０を併用して、２本の柱１、１の間隔を超えて長く延びる手すり材１０を水平方向に取り付け、また、図２３と同様に、上下２個の胴縁用ブラケット４０を使用して手すり材１０を垂直方向に取り付けた実施形態を示している。
【００５２】
最後に、図３１は、図３２に示した従来の手すり材取り付けブラケット６と若干類似した形態であるが、手すり材組付け部６１が非円筒形状である柱用ブラケット６０の実施形態を示している。やはり腕部６５が手すり材組付け部６１と座部６７とをつなぐ形であり、手すり材組付け部６１は手すり材１０を載せてネジ止めにて固定できるように、手すり材１０の軸線方向に長い皿状をなし、ネジ止め用の孔６３が２個設けられている。腕部６５の終端に位置する座部６７は、例えば図２に示す要領で、壁材４の前面側に露出した柱１の露出側面へ当てがえるように、前記手すり材組付け部６１とは直交する向きに設けられ、皿木ねじの誘導孔６８が上下に２個設けられている。
【００５３】
この柱用ブラケット６０の取り付け態様は図２の例と大差ない。但し、手すり材１０は手すり材組付け部６１を通過する配置で取り付けられるので、従来の手すり材取り付けブラケットと同様に端末キャップ１１を必要とする使い勝手となる。また、この柱用ブラケット６０の場合は、左右に使い勝手を生ずるので、右用と左用とが必要となる。
【００５４】
以上要するに、手すり材取り付けブラケットとして用意した上記の柱用ブラケット２０、間柱用ブラケット３０、胴縁用ブラケット４０、中間支持用ブラケット５０、及び柱用ブラケット６０の中から、使用場所・条件に応じて適宜に選択した１種又は２種以上のブラケットを使用することにより、木造住宅の壁部分の構造にしたがい、そこに柱１、胴縁２、間柱３があるかぎり、それらを下地に利用してそのまま、長短いずれの手すり材でも、壁材４に沿って平行に、しかも壁材４から適度な一定寸法Ｈだけ突き出した配置で、水平方向や垂直方向、あるいは階段・スロープの傾斜角度と平行に傾斜方向に手すり材の取り付けを容易に自在に行うことができる。
【００５５】
【発明の効果】
請求項１〜３に記載した発明に係る手すり材取り付け方法によれば、木造住宅の壁部分を構成する柱１や間柱３、胴縁２等が存在する限り、それらを利用してそのまま、既存の壁部分の構造体へ手すりをに取り付けることができる。
【００５６】
そのため、従来のようにベースプレート５や下地材９などの新規材を別途必要としないので、調達・工事に手間がかからず、また、室内や廊下はもちろん、上がり框・階段・スロープ等においても人の活動有効空間を狭くする不都合も生じない。
【００５７】
手すり材の取り付けに関しては、同じ種類の手すり材取り付けブラケット同士の使用のみならず、必要に応じて異なる種類の手すり材取り付けブラケットの組み合わせ使用もできる。
【００５８】
手すり材の取り付けは、水平方向への取り付けのみならず、垂直方向、傾斜方向への取り付けも自由自在にできる。
【００５９】
そのため、手すり材１０を、住宅内において室内や廊下空間等における壁部分はもちろん、上がり框部・階段部・スロープ部の壁部分にも好適に取り付けることができ、また、家具の有無に合わせて取り付けることができる等、住宅内においてその使用場所・条件に合わせて自在に対応させて取り付けることができる。
【００６０】
手すり材取り付けブラケットのうち中間支持用ブラケットを除く柱用ブラケットと、間柱用ブラケット、及び胴縁用ブラケットの手すり材組付け部が、全体形状として有底筒状であるため、手すりの端末にキャップが不要であるし、その有底筒状の底側は所定の方向に傾斜する傾斜角を有し、凸部による丸みを帯びているため、手すり使用状態において手すりの端末部分に利用者の衣服の前部分や袖口等が接触しても、引っ掛かる心配が無く、安全に使用できるのである。
【図面の簡単な説明】
【図１】柱用ブラケットを使用した手すり材の取り付け状態を示す斜視図である。
【図２】図１のＡ−Ａ線矢視の断面図である。
【図３】柱用ブラケットの左側面図である。
【図４】柱用ブラケットの正面図である。
【図５】図４のＢ−Ｂ線矢視断面図である。
【図６】図５のＣ−Ｃ線矢視断面図である。
【図７】柱用ブラケットの斜視図である。
【図８】間柱用ブラケットを使用した手すり材の取り付け状態を示す斜視図である。
【図９】図８のＤ−Ｄ線矢視の断面図である。
【図１０】間柱用ブラケットの左側面図である。
【図１１】間柱用ブラケットの正面図である。
【図１２】図１１のＥ−Ｅ線矢視断面図である。
【図１３】間柱用ブラケットの斜視図である。
【図１４】間柱用ブラケットを使用した手すり材の取り付け状態の異なる実施形態を示す斜視図である。
【図１５】胴縁用ブラケットを使用した手すり材の取り付け状態を示す斜視図である。
【図１６】図１５のＦ−Ｆ線矢視の断面図である。
【図１７】胴縁用ブラケットの左側面図である。
【図１８】胴縁用ブラケットの正面図である。
【図１９】図１８のＧ−Ｇ線矢視断面図である。
【図２０】胴縁用ブラケットの斜視図である。
【図２１】柱用と間柱用のブラケットを使用した手すり材の取り付け状態を示す斜視図である。
【図２２】柱用と胴縁用のブラケットを使用した手すり材の取り付け状態を示す斜視図である。
【図２３】柱用と間柱用および胴縁用のブラケットを使用した手すり材の取り付け状態を示す斜視図である。
【図２４】柱用と中間支持用のブラケットを使用した手すり材の取り付け状態を示す斜視図である。
【図２５】図２４のＨ−Ｈ線矢視の断面図である。
【図２６】中間支持用ブラケットの正面図である。
【図２７】中間支持用ブラケットの左側面図である。
【図２８】図２６のＫ−Ｋ線矢視断面図である。
【図２９】中間支持用ブラケットの斜視図である。
【図３０】柱用と間柱用と中間支持用および胴縁用のブラケットを使用した手すり材の取り付け状態を示す斜視図である。
【図３１】柱用ブラケットの異なる実施例の斜視図である。
【図３２】従来の手すり材取り付けブラケットの斜視図である。
【図３３】従来のベースプレート使用による手すり材の取り付け例を示す斜視図である。
【図３４】従来の下地材使用による手すり材の取り付け例を示す斜視図である。
【図３５】従来の手すり材の取り付け状態を示す左側面方向の断面図である。
【図３６】従来の手すり材の取り付け状態を示す平面方向の断面図である。
【符号の説明】
１０        手すり材
２０、６０  柱用ブラケット
３０        間柱用ブラケット
４０        胴縁用ブラケット
２１        手すり材組み付け部
３１        手すり材組み付け部
４１        手すり材組み付け部
２５        腕部
３５        腕部
４５        腕部
２７        座部
３７        座部
４７        座部
４          壁材
１          柱
３          間柱
２          胴縁
５０        中間部支持用ブラケット
【図１】
0003541241.tif 000002
【図２】
0003541241.tif 000003
【図３】
0003541241.tif 000004
【図４】
0003541241.tif 000005
【図５】
0003541241.tif 000006
【図６】
0003541241.tif 000007
【図７】
0003541241.tif 000008
【図８】
0003541241.tif 000009
【図９】
0003541241.tif 000010
【図１０】
0003541241.tif 000011
【図１１】
0003541241.tif 000012
【図１２】
0003541241.tif 000013
【図１３】
0003541241.tif 000014
【図１４】
0003541241.tif 000015
【図１５】
0003541241.tif 000016
【図１６】
0003541241.tif 000017
【図１７】
0003541241.tif 000018
【図１８】
0003541241.tif 000019
【図１９】
0003541241.tif 000020
【図２０】
0003541241.tif 000021
【図２１】
0003541241.tif 000022
【図２２】
0003541241.tif 000023
【図２３】
0003541241.tif 000024
【図２４】
0003541241.tif 000025
【図２５】
0003541241.tif 000026
【図２６】
0003541241.tif 000027
【図２７】
0003541241.tif 000028
【図２８】
0003541241.tif 000029
【図２９】
0003541241.tif 000030
【図３０】
0003541241.tif 000031
【図３１】
0003541241.tif 000032
【図３２】
0003541241.tif 000033
【図３３】
0003541241.tif 000034
【図３４】
0003541241.tif 000035
【図３５】
0003541241.tif 000036
【図３６】
0003541241.tif 000037